(57)【特許請求の範囲】
【請求項１】
黄銅からなる多孔質のすべり軸受を製造する製造方法であって、
黄銅粉末に対して、２００ＭＰａ以上８００ＭＰａ以下の圧力をかけてグリーン体を成形する成形工程と、
成形したグリーン体を大気雰囲気下において８８０〜９４０℃で加熱して焼成する焼成工程と、
焼成した成形体を切削加工する切削工程とを備えることを特徴とするすべり軸受の製造方法。
【請求項２】
前記黄銅粉末は、
黄銅切粉であることを特徴とする請求項１記載のすべり軸受の製造方法。
【請求項３】
前記黄銅粉末の粒径が、
０．５ｍｍ以上２．０ｍｍ以下であることを特徴とする請求項１または２記載のすべり軸受の製造方法。
【請求項４】
前記成形工程に先立って、
黄銅粉末に、滑剤を混合する混合工程を備えることを特徴とする請求項１〜３のいずれか記載のすべり軸受の製造方法。
【請求項５】
黄銅を主成分とする多孔質の黄銅ポーラス体を製造する製造方法であって、
黄銅粉末に対して、２００ＭＰａ以上８００ＭＰａ以下の圧力をかけてグリーン体を成形する成形工程と、
成形したグリーン体を大気雰囲気下において８８０〜９４０℃で加熱して焼結する焼結工程と、を備えることを特徴とする黄銅ポーラス体の製造方法。
【発明の詳細な説明】
【技術分野】
【０００１】
本発明は、黄銅製ブッシュをはじめとする黄銅製のすべり軸受及び黄銅ポーラス体に関する。
【背景技術】
【０００２】
黄銅は、一般に真鍮と呼ばれ、加工性に優れ、熱伝導性、耐食性にも優れた特性を有し、比較的に安価であることから、黄銅を素材として用い、これを切削加工することによって作製される黄銅ブッシュは産業機械等に多用されている。
ところで、通常の金属製ブッシュは、潤滑油を長期間保持することができないので、使用時において、給油を行うことが必要となるが、この給油には手間がかかるので、金属製ブッシュをメンテナンスフリーにすることが望まれている。
【０００３】
そのような要求に対して、銅系の合金を使用した多孔質体からなるポーラスブッシュに潤滑油を含浸させた無給油ブッシュも開発されている。
例えば、特許文献１、２には、黒鉛や錫を含む銅合金を焼結した軸受材料が開示されている。
また、特許文献３には、鉄、銅、亜鉛及び錫の各単体金属粉末を混合した多孔質複合焼結合金からなるブッシュ、特許文献４には、銅粉と鉄粉とから形成された多孔質複合焼結合金からなるブッシュが開示されている。
【０００４】
上記のようなポーラスなブッシュは、一般に、金属混合粉末を圧粉成形して、その成形体を還元雰囲気（例えば水素及び窒素の混合ガス雰囲気）あるいは減圧雰囲気下で高温焼結することによって多孔質焼結合金からなる焼結体を得て、その焼結体を必要に応じてサイジングすることによって製造している。
【先行技術文献】
【特許文献】
【０００５】
【特許文献１】特許３８０３９４７号
【特許文献２】特許３８３５９１５号
【特許文献３】特許４２１３７１４号
【特許文献４】特許２８３２８００号
【発明の概要】
【発明が解決しようとする課題】
【０００６】
しかしながら、還元雰囲気あるいは減圧雰囲気下で焼結を行うには、焼結炉の設備コスト及び運転コストがかかるので、その分、ポーラスなブッシュを製造するのにコストがかかることになる。
ここで、金属混合粉末からなる成形体を大気雰囲気下で焼結することで製造コストを低減することができると考えられるが、金属粉末が酸化されて焼結がうまくなされず、焼結体をサイジング加工するときに破損が生じやすい。また、焼結体において金属本来の物性が得られ難くなる。
【０００７】
また、黒鉛を使用した無給油ブッシュは、製造過程における粉塵の問題や、製品使用時における潤滑油と炭素粉末の混じったスラッジ汚染の問題があり、高温で使用できないといった問題もある。
本発明は、上記課題に鑑み、黄銅製のポーラス軸受及び黄銅ポーラス体を低コストで提供することを目的とする。
【課題を解決するための手段】
【０００８】
上記目的を達成するため、本発明では、黄銅を主成分とする多孔質のすべり軸受を製造する製造方法において、黄銅粉末に対して、２００ＭＰａ以上８００ＭＰａ以下の圧力をかけてグリーン体を成形する成形工程と、成形したグリーン体を８８０〜９４０℃で加熱して焼結する焼結工程と、焼結した成形体を切削加工する切削工程とを設けた。
また、黄銅ポーラス体を製造する製造方法において、黄銅粉末に対して、２００ＭＰａ以上８００ＭＰａ以下の圧力をかけてグリーン体を成形する成形工程と、成形したグリーン体を８８０〜９４０℃で加熱して焼結する焼結工程とを設けた。
【０００９】
焼結工程は大気雰囲気下で行うことが好ましい。
黄銅粉末として、黄銅切粉を用いることが好ましい。
なお、黄銅切粉を用いる際には、できるだけ粉サイズを均一に揃えておくことが好ましい。
また、成形工程に先立って、黄銅粉末に、滑剤を混合する混合工程を行うことが好ましい。
【００１０】
上記製法によって、黄銅粉末を主成分とする多孔質の焼結体からなり、孔径が１〜２００μｍの微細孔を有し、その気孔率（空隙率）が３０〜５０ｖｏｌ％であるポーラス軸受並びに黄銅ポーラス体を実現できる。
【発明の効果】
【００１１】
本発明の製造方法によれば、加圧成形によって黄銅粉末同士を十分に圧着した後に焼結を行っているので、黄銅粉末同士が強固に結合され、焼結体の強度と延性を十分に確保することができる。
それによって、切削工程においても、焼結体を破損することなく加工できる。また、黄銅としての優れた物性も保持できる。
【００１２】
そして、上記のように焼結を大気雰囲気下で行うことで、焼結炉の設備コスト及び運転コストを低減できるので、黄銅ポーラス含油軸受を低コストで製造するのに寄与する。
また、黄銅粉末の中でも、特に黄銅切粉を主な原料として用いることは、ポーラスな焼結体を製造するのに適している。
さらに、黄銅切粉は廃材であり安価なので、これを主原料として用いることによって、より低コストで黄銅製のポーラスな軸受を製造することができ、且つ素材のリサイクルにも寄与する。
【００１３】
上記本発明の製造方法によって製造されたポーラス軸受並びに黄銅ポーラス体は、黄銅粉末同士が焼結され、粉末同士の間に孔が形成された多孔質体である。
従って、その孔内に潤滑剤を充填することによって無給油軸受とすることができる。また、吸湿性や吸音性、防振性、放熱性に優れている。さらに、メッキとも相性が良いため、各種製品の機能部品としての応用が可能である。
また、黒鉛のような炭素粉末を用いる必要がないので、使用中に炭素粉塵やスラッジによる汚染もない。
【００１４】
よって、メンテナンスフリーが可能な無給油軸受を製造することができ、自動車、産業機械分野に使用可能である。
また、本発明の黄銅ポ−ラス軸受によれば、孔径が１〜２００μｍの微細孔を有し、その気孔率が３０〜５０ｖｏｌ％であるので、孔内に潤滑油を長期間保持する機能を有する。従って、長期間無給油で使用できる。
【図面の簡単な説明】
【００１５】
【図１】実施形態にかかる黄銅ポーラス軸受の製造方法を示す工程図である。
【図２】加圧成形工程を説明する図である。
【図３】焼結体の穴あけ加工及び外周切削加工を説明する図である。
【図４】実施例で用いた黄銅切粉の顕微鏡写真である。
【図５】実施例にかかる焼結体の走査型電子顕微鏡写真である。
【図６】実施例にかかる焼結体の強度試験結果を示す特性図である。
【発明を実施するための形態】
【００１６】
本発明の実施形態では、黄銅粉末を主材料として用いて、黄銅ポーラスすべり軸受（黄銅ポーラスブッシュ）を製造する。
黄銅は、銅Ｃｕと亜鉛Ｚｎを主成分とする合金であって、当該合金中に占める亜鉛の割合は２０％以上であり、一般に亜鉛の割合が増すと、硬度が増すが、脆さも増すので、実用上、亜鉛の割合の上限は４５％である。
【００１７】
具体的には、ＪＩＳ規格の材料記号で、次のようなものを用いることができる。
Ｃ２６００：七三黄銅（銅が約７０％、亜鉛が約３０％） 
Ｃ２９０１：六四黄銅（銅が約６０％、亜鉛が約４０％） 
Ｃ３６０４：快削黄銅  被削性を高めるために鉛が添加されている。（銅が５７〜６１％、鉛が１．８〜３．７％、鉄が０．５％以下、鉄＋錫が１％以下、亜鉛は残部）
Ｃ３７７１：鍛造用黄銅（銅が５７〜６１％、鉛が１〜２．５％、鉄＋錫が１％以下、亜鉛は残部）
ＣＡＣ２０１：黄銅鋳物１種 
図１は、実施形態にかかる黄銅ポーラス軸受の製造方法を示す工程図である。
【００１８】
混合工程（Ｓ１）：
まず、黄銅切粉に滑剤を添加して、粉体用の混合器で混合する。
ここでは、黄銅粉末として、黄銅素材を切削加工するときに発生する黄銅切粉を用いることとする。使用する黄銅切粉の平均粒径は０．５〜２．０ｍｍの範囲内にあることが好ましい。ここで上記「平均粒径」は、各黄銅切粉の最大長の平均を指すものとする。
【００１９】
滑剤は、一般に素材を加工する際に、素材と加工機、あるいは素材の粒子同士の摩擦を軽減させる添加剤であって、これを黄銅切粉に添加することは、必須ではないが、次の加圧成形工程を良好に行う上で有効である。
ここでは、ステアリン酸亜鉛（Ｚｎ(ＯＣＯＣ17Ｈ35)2、融点１１５−１２５℃）を用い、黄銅切粉に対して少量混合する。
【００２０】
滑剤としては、以下のようなものも用いることもできる。
ポリエチレンワックス、ポリプロピレンワックス等のオレフィン系ワックス
ステアリン酸ブチル、ステアリン酸モノグリセライド、ステアリン酸ソルビタンエステルなどの高級脂肪酸エステル
エチレンビスアマイド等のビスアマイド系滑剤
ステアリン酸ナトリウム、ステアリン酸カルシウム等の金属石鹸
加圧成形工程（Ｓ２）：
黄銅切粉に滑剤を混合した上記混合物を、加圧成型機（プレス）で圧縮成形する。
【００２１】
図２は、加圧成形工程を説明する図である。
図２に示すように、ダイ１０の内部に下部パンチ１２を挿入した状態で、上記混合物１を充填し、上部パンチ１１を下降して、図２（ｂ）に示すように混合物１に圧力をかける。
これによって、混合物１は、ダイ１０の内部形状に合った円柱状に圧縮成型され、グリーン体２が作製される。
【００２２】
図２（ｃ）に示すように下部パンチ１２を押し上げて、グリーン体２を取り出す。
充填された混合物１には滑剤（ステアリン酸亜鉛）が混合されているので、上記のように上部パンチ１１で加圧すると、黄銅切粉同士が互いに滑りながら圧縮され、全体に均一的に圧力がかかる。
この工程では、黄銅切粉同士を十分に圧着させるために、２００ＭＰａ以上の圧力で加圧することが好ましい。これは、２００ＭＰａ以上の圧力で加圧成形をすることによって、黄銅切粉が変形して、隣接する粉体同士が圧着され接触面積が大きくなるからである。一方、グリーン体２において、黄銅切粉同士の間に適度な空隙を確保するために、この工程における加圧力は８００ＭＰａ以下に抑えることが好ましい。
【００２３】
この加圧力は、２００ＭＰａ以上８００ＭＰａ以下の範囲内でも、焼結後の強度をより確実に得るために、３００ＭＰａ以上とすることが好ましいと考えられ、特に、好ましい圧力は、４００ＭＰａ程度である。
焼結工程（Ｓ３）：
円柱状に成形されたグリーン体２を、一般的なバッチ炉や連続開放炉（例えば、メッシュベルト式マッフル焼結炉）を用いて大気雰囲気下で焼結する。焼結温度は８８０〜９４０℃の範囲内に設定する。
【００２４】
一般的な黄銅は９０２℃程度で溶融するので、上記のように焼結温度８８０〜９４０℃の範囲内でグリーン体を焼結することによって、グリーン体２に含まれる黄銅切粉同士が、互いの接触領域において結合するように焼結され、ポーラスな焼結体３が製造される。焼結に伴ってグリーン体２に含まれていた有機成分（ステアリン酸）は焼失する。
製造される焼結体３では、切粉は完全には溶融しない。従って、黄銅切粉同士の隙間が微細な気孔として残る。その気孔サイズは、サブミリオーダーとなる。
【００２５】
切削工程（Ｓ４）
図３は、焼結体３の穴あけ加工及び外周切削加工を説明する図である。
焼結体３を、旋盤のチャック２１で把持する。旋盤のチャック２１を回転させながら、ドリル２２の先端を焼結体３の中心軸に沿って当てて穿孔する。なお、ドリルで穿孔した後に、バイトで内径加工を行ってもよい。
【００２６】
次に、旋盤のチャック２１を回転させながら、バイト２３を固定したテーブルを操作することによってバイト２３の先端を焼結体３の外周に当てながら送ることによって、外周を切削する。
このような切削加工は、一般的に金属ブッシュを製造するときに用いる加工方法と同様であって、精度よく仕上げることができる。
【００２７】
従って、この切削工程を経ることによって、黄銅ポーラス軸受４を精度よくサイジングできる。
なお、ここでは、円柱状のグリーン体２及び焼結体３を作製した後、これを切削加工することによって、円柱状の黄銅ポーラス軸受４を得ているが、グリーン体２及び焼結体３の形状は円柱状に限らない。例えば、ダイ１０の形状を調整することによって、中空の円筒状のグリーン体２及び焼結体３を作製した後に、その内周及び外周を切削加工することによって、黄銅ポーラス軸受４を得ることもできる。
【００２８】
また、精度良くサイジングするためには、内径・外径ともに、切削工程以外に、研削工程、研磨工程、転造工程を行っても良い。
〈本実施形態による黄銅ポーラス軸受およびポーラス体の特性〉
上記製法によって得られる黄銅ポーラス軸受４は、気孔率が１０〜５０ｖｏｌ％である。
【００２９】
なお、気孔率の測定は、体積と重量を測定して算出することができる。
気孔率の大きいポーラス軸受は、それだけ軽量で空隙内に油を多く保持することができるので、この黄銅ポーラス軸受４を潤滑油に浸漬することによって、孔内に多くの潤滑油が含浸され、潤滑油が孔内に保持される。従って、長期間（例えば１０００時間）無給油で使用できる軸受を実現することができる。
【００３０】
一般的には、金属焼結体において、気孔率を高くすると焼結が不十分となりやすいので、従来の金属ポーラス軸受は気孔率が１０〜３０ｖｏｌ％程度であるが、本実施形態によって、気孔率が３０ｖｏｌ％以上の高気孔率を有するポーラス軸受が得られるので、軸受の内部により多くの潤滑剤を保持することができる。また、炭素粉末を含んでいないので、使用中に炭素粉塵やスラッジで汚染されることもない。
また、上記製法によって得られる黄銅ポーラス体は、吸湿性や吸音性、防振性、放熱性に優れている上、メッキとも相性が良い。従って、すべり軸受に限らず、各種製品の機能部品としての応用が可能である。
【００３１】
〈本実施形態の製法による効果〉
（１）本実施形態の製法によれば、黄銅切粉を主な原料としており、この黄銅切粉は、千円／ｋｇ程度以下と安価なので、黄銅製の含油軸受を低コストで製造できる。
（２）本実施形態の製法によれば、焼結工程の後に切削工程を設けている。
この切削工程において、一般的なブッシュ加工と同様に、穴あげ加工や外径加工などを施すことによって、精度よく黄銅ポーラス軸受をサイジングできる。
【００３２】
（３）一般的に、金属粉体を焼結する場合、金属材料を拡散させるために、その溶融温度（黄銅では９０２℃程度）に近い温度で焼結する。そして、この焼結時において金属粉体が酸化されると拡散がうまくなされないので、それを防止するために、減圧雰囲気下あるいは窒素雰囲気などの還元雰囲気下で焼結を行う。
これに対して本実施形態では、加圧成形によって黄銅切粉同士を圧着して互いの接触面積を十分に確保した後に焼結しているので、大気雰囲気下で焼結を行っても、黄銅切粉は酸化され難く、黄銅切粉同士が強固に接合される。従って、焼結体３の強度を十分に確保することができる。
【００３３】
それによって、切削工程においても、焼結体３を破損することなくサイジングできる。また、黄銅としての優れた物性も保持される。
そして、気孔率が４０ｖｏｌ％程度と高く且つ強度を有する黄銅ポーラス軸受も、比較的容易に得ることができる。
また、焼結工程を、一般の焼結炉を用いて大気雰囲気下で行うことによって、焼結炉の設備コスト及び運転コストを低減できる。従って、黄銅含油軸受を低コストで製造するのに寄与する。
【００３４】
（４）黄銅粉末の中でも、特に黄銅切粉を主な原料として用いているので、ポーラスな焼結体を製造するのに適している。
[実施例]
主原料として用いた黄銅切粉の成分は、Ｃｕが５７〜６１％，Ｐｂが１．８〜３．７％，Ｆｅが０．５％，Ｆｅ＋Ｓｎが１．２％，残りがＺｎである。
【００３５】
図４は、主原料として用いた黄銅切粉の顕微鏡写真である。
当図に示されるように、各切粉の形状は偏平な棒状であって、そのサイズは、平均長さが１．５ｍｍ、平均厚さは１２０μｍである。
この黄銅切粉とステアリン酸亜鉛とを重量比１８０：１で混合して、最適と考えられる条件（加圧成型時の圧力４００Ｍｐａ、焼結温度９１０℃、焼結時間１０ｈｒ）で円柱形の焼結体サンプル（Φ２０ｍｍ、長さ５０ｍｍ）を作製した。
【００３６】
図５は、焼結体の走査型電子顕微鏡写真である。
当図に示されるように、この焼結体においては、各切粉の形状は、棒状ではなく、隣接する切粉同士の接触面積が大きくなるように圧縮変形されている。そして、隣接する切粉同士は互いに焼結されている。
この焼結体サンプルついて、気孔サイズ（ポア径）を測定した結果、ポア径は５〜１０５μｍの範囲で分布し、ポア径の平均値は２５μｍであった。
【００３７】
そして、気孔同士が連結した構造になっているので、潤滑油を内部まで浸みこませることが出来る。
なお、ポア径及び気孔率は、加圧条件によって変動するが、上記実施形態の製法によって製造される黄銅ポーラス軸受は、ポア径が１〜２００μｍの範囲内にある。
〈焼結体の気孔率、強度試験〉
上記実施例に対する比較例として、上記黄銅切粉を用いて、加圧条件及び焼結温度を変えて、焼結体サンプルを作製した。
【００３８】
そして、実施例及び比較例の各焼結体サンプルについて、気孔率の測定及び強度試験を行った。
実施例の焼結体サンプルでは、気孔率が３６％であった。
【００３９】
強度試験においては、円柱状の焼結体サンプルを軸方向に押圧しながら、公称ひずみ（長さの変化分を元の長さで割った値）と、公称応力（試験片にかかる荷重を試験片の断面積で割った値）との関係を測定した。
【００４０】
図６は、実施例にかかる焼結体の強度試験結果を示す特性図である。
当図に示されるように、実施例の焼結体サンプルでは、公称ひずみが０．８近くに到達するまで、公称応力は単調増加して１４０ＭＰａ程度に到っている。このことは、この焼結体サンプルが、大変形を負荷されても壊れないこと、すなわち、焼結体サンプルが切削加工に耐える十分な強度、延性を有し、軸受材料としての強度、延性も有していることを示している。
【００４１】
実際、実施例の焼結体サンプルは、旋盤で円筒状に切削加工することによって、破損することなく、黄銅ポーラス軸受を作製することができた。
なお、圧縮加圧時の圧力が２００ＭＰａ〜８００ＭＰａの範囲にあり、且つ焼結温度が８８０℃〜９４０℃の範囲内にある焼結体サンプルは、実施例と同様に、気孔率が１０〜５０ｖｏｌ％の範囲内にあり、圧縮試験において破壊することなく大変形を示した。
【００４２】
一方、圧縮加圧時の圧力が２００ＭＰａ未満である比較例の焼結体サンプルでは、強度試験において、公称ひずみが０．８に到達する前に脆性破壊が生じた。また、旋盤で切削加工すると破損が生じた。
焼結温度が８８０℃未満で焼結した比較例の焼結体サンプルも、強度試験において、公称ひずみが０．８に到達する前に脆性破壊が生じ、旋盤で切削加工すると破損が生じた。
【００４３】
以上の結果から、実施例において、黄銅粉を大気中で焼結したにも関わらず、高気孔率で強度を有する黄銅ポーラス軸受を実現できたのは、焼結前に２００ＭＰａ以上８００ＭＰａ以下の圧力で加圧成形を行い、且つ焼結条件についても、焼結温度８８０℃以上の温度で最適化したことに起因すると考えられる。
また、主材料の黄銅粉として、偏平な棒形状を有する黄銅切粉を用いたことも、高気孔率で強度を有する黄銅ポーラス軸受を実現する上で、寄与したものと考えられる。
【産業上の利用可能性】
【００４４】
本発明による黄銅製のすべり軸受は、安価であり、無給油軸受として適している。また、すべり軸受に限らず、産業機械、電気機器等、各種製品の機能部品として有用である。
【符号の説明】
【００４５】
１    混合物
２    グリーン体
３    焼結体
４    黄銅ポーラス軸受
１０    ダイ
１１    上部パンチ
１２    下部パンチ
２１    チャック
２２    ドリル
２３    バイト
【図１】
0005513096.tif 000002
【図２】
0005513096.tif 000003
【図３】
0005513096.tif 000004
【図６】
0005513096.tif 000005
【図４】
0005513096.tif 000006
【図５】
0005513096.tif 000007